(57)【要約】【課題】  ファッションを手軽で容易に楽しむことができる装飾用の身体装着具を提供する。【解決手段】  使用者の上半身に装着される装飾用の身体装着具１であって、使用者の身体に密着するように伸縮性生地からなる本体部１０と、本体部１０の外面に形成された模様部２０とを備え、本体部１０は、使用者の上半身に装着した状態において、模様部２０以外で使用者の肌が透けて見えるように構成されている。【選択図】  図１
0003182339.tif 000002
【実用新案登録請求の範囲】
【請求項１】
使用者の上半身に装着される装飾用の身体装着具であって、
使用者の身体に密着するように伸縮性生地からなる本体部と、
前記本体部の外面に形成された模様部とを備え、
前記本体部は、使用者の上半身に装着した状態において、前記模様部以外で使用者の肌が透けて見えるように構成されている装飾用の身体装着具。
【請求項２】
前記本体部は、使用者の腕部または胴部のいずれかを覆うことができるように、両端が開口する筒状に形成されている請求項１に記載の装飾用の身体装着具。
【請求項３】
前記本体部は、編糸をループ状に編成して筒状に編み上げられた筒体を備えており、
前記模様部は、前記筒体を引き延ばした状態で形成されている請求項１または２に記載の装飾用の身体装着具。
【考案の詳細な説明】
【技術分野】
【０００１】
本考案は、装飾用の身体装着具に関する。
【背景技術】
【０００２】
近年、タトゥーやピアスなどをファッションとして取り入れる若者が増加しているが、傷付けた身体を完全に修復することは困難であり、年を取ってから後悔するケースも多い。このため、このようなファッションを簡単に楽しめるように、タトゥーシールが知られており、例えば、特許文献１に開示されている。特許文献１に開示されたタトゥーシールは、プリンターで所望の模様を印刷した印刷層を粘着シートに貼り合わせた後、模様に沿って切り抜いて皮膚に貼り付けることができる。
【先行技術文献】
【特許文献】
【０００３】
【特許文献１】特開２０００−１６０１１１号公報
【考案の概要】
【考案が解決しようとする課題】
【０００４】
ところが、タトゥーシールのように肌に対して直接貼り付けるものは、汗をかいたり激しい運動をしたりする場合に剥がれ易いという問題があり、更に、使い捨てが前提になることから気軽に取り替え難いという問題があった。
【０００５】
そこで、本考案は、ファッションを手軽で容易に楽しむことができる装飾用の身体装着具の提供を目的とする。
【課題を解決するための手段】
【０００６】
本考案の前記目的は、使用者の上半身に装着される装飾用の身体装着具であって、使用者の身体に密着するように伸縮性生地からなる本体部と、前記本体部の外面に形成された模様部とを備え、前記本体部は、使用者の上半身に装着した状態において、前記模様部以外で使用者の肌が透けて見えるように構成されている装飾用の身体装着具により達成される。
【０００７】
この装飾用の身体装着具において、前記本体部は、使用者の腕部または胴部のいずれかを覆うことができるように、両端が開口する筒状に形成されていることが好ましい。また、前記本体部は、編糸をループ状に編成して筒状に編み上げられた筒体を備えることが可能であり、前記模様部は、前記筒体を引き延ばした状態で形成することができる。
【考案の効果】
【０００８】
本考案によれば、ファッションを手軽で容易に楽しむことができる装飾用の身体装着具を提供することができる。
【図面の簡単な説明】
【０００９】
【図１】本考案の一実施形態に係る装飾用の身体装着具の平面図である。
【図２】本考案の他の実施形態に係る装飾用の身体装着具の平面図である。
【図３】本考案の更に他の実施形態に係る装飾用の身体装着具の平面図である。
【考案を実施するための形態】
【００１０】
以下、本考案の一実施形態について添付図面を参照しつつ説明する。図１は、本考案の一実施形態に係る装飾用の身体装着具の平面図である。この身体装着具１は、伸縮性を有する生地からなる本体部１０と、本体部１０の外面に形成された模様部２０とを備えており、使用者の腕部に装着されて密着するように構成されている。
【００１１】
本体部１０は、丸編機などを用いて編糸をループ状に編成し、所定径（例えば４インチ丸編み）で筒状に編み上げられた筒体１２を備えている。網糸としては、例えばポリエステル系などの熱融着糸を使用することが好ましく、肌色等に染色した後に高圧蒸気等により網目の交差部分を熱融着させることで、伸張状態における耐久性を良好にすることができる。編糸は、例えば２０デニール程度の細いものを使用することが好ましく、装着時にループの隙間から使用者の肌が透けて見え易くすることで、透明感を高めることができる。上記の筒体１２は、使用者の腕の長さ（例えば５０ｃｍ程度）に合わせて裁断された後、両端に弾性帯１４，１４が縫い付けられることにより、筒状の両端が開口する本体部１０が形成される。
【００１２】
模様部２０は、ファッション性を有する文字や図形、絵柄などからなり、本体部１０を平板状の台板に挿入して引き伸ばした状態で、筒体１２の外面側に加工される。模様部２０の形成方法は、筒体１２を構成する生地に固定可能な従来公知のものを適用可能であり、例えば、昇華性染料からなる所定のパターンを加熱によって昇華転写する方法、フロッキー加工により生地の表面に多数の短繊維を所定のパターンで起立させる方法、生地に接着剤を含浸させてラインストーンを熱圧着する方法などが挙げられ、これらを適宜組み合わせることも可能である。本体部１０に対する模様部２０の配置や大きさは特に限定されるものではなく、一または複数の模様部２０を本体部１０の適宜の位置に形成することができる。
【００１３】
上記の構成を備える身体装着具１は、使用者が腕部に装着すると、本体部１０が拡径方向に延びて本体部１０を構成する編糸のループが拡がり、使用者の肌が透けて見える状態になる。したがって、模様部２０のみが使用者の肌に直接形成されたように見せることができ、ファッション性を高めることができる。また、身体装着具１は、繰り返しの使用が可能であり、取り替えが容易であることから、種々の模様を経済的に楽しむことができる。
【００１４】
本体部１０は、両端が開口する筒状に形成されているため、使用者の腕部に対する本体部１０の挿入方向を逆方向にしたり、本体部１０を筒状の周方向に回転させることにより、腕部における模様部２０の配置を使用者の好み等に応じて変化させることができる。このように両端が開口する筒状の本体部１０は、必ずしも使用者の腕部に装着される構成に限られず、例えば図２に示すように、丸編みの径を大きくして（例えば７インチ丸編み）、使用者の胴部に装着される構成であってもよく、本体部１０において使用者のへそ部の近傍や、わき腹、背中などに対応する箇所に、模様部２０を形成することができる。
【００１５】
使用者の腕部および胴部に装着される身体装着具１は、互いに分離されていてもよいが、図３に示すように、使用者の両腕部にそれぞれ装着される筒状の第１の本体部１０ａ，１０ａと、使用者の胴部および胸部に装着される筒状の第２の本体部１０ｂとが、縫製ライン３０を介して一体化された構成であってもよい。第１の本体部１０ａおよび第２の本体部１０ｂは、図１に示す本体部１０と同様に構成することができ、開口端に弾性帯１４ａ，１４ｂを設けることができる。図３に示す構成によれば、腕部や胴部以外に、胸元や首筋などに対応する箇所にも模様部２０を形成することができ、模様配置のバリエーションを拡げることができる。
【符号の説明】
【００１６】
１  身体装着具
１０  本体部
１２  筒体
１４  弾性帯
２０  模様部
【図１】
0003182339.tif 000003
【図２】
0003182339.tif 000004
【図３】
0003182339.tif 000005